(57)【要約】【課題】竿体同士の嵌合部分の構造が比較的簡易であり、軽量化・経済化を図り得る釣竿を提供する。【解決手段】この釣竿は、元竿１と元竿１の竿元側に元竿１内に出し入れ自在に連結された延伸竿２とを備える。元竿１は竿元側端部に脱着自在に装着されるナット部材５を有し、また、元竿１の竿元側端部には軸方向に延びる複数の割りが周方向に間隔を隔てて形成されている。ナット部分５は略筒状部材であって、竿元側の内周面が竿元側ほど小径化するテーパ面となっている。【選択図】      図２
2004344142.tif 000002
【特許請求の範囲】
【請求項１】
筒状体である複数の竿体を順次連結してなる釣竿であって、
元竿と、前記元竿の竿元側に前記元竿内に出入自在に連結された延伸竿とを備え、前記延伸竿は前記元竿内に収納された収納状態，前記元竿の竿元側に引き出された延伸状態の何れにおいても前記元竿に固定可能であり、
前記元竿は、全体として先細りテーパの施された筒状体である本体部と、前記本体部の竿元側端部に脱着自在に装着されるナット部材とを有し、
前記本体部は、穂先側の内周面に軸方向の一定の範囲において径の変化しない部分である嵌合雌部を有し、また、竿元側端部には軸方向に延びる複数の割りが周方向に間隔を隔てて形成され、且つ、前記割りの穂先側に隣接する外周面には雄ねじ部が形成されており、
前記ナット部材は略筒状部材であって、穂先側の内周面に前記雄ねじ部に螺着自在な雌ねじ部分を、竿元側に内周面が竿元側ほど小径化するテーパ面となっているテーパ部分を有し、
前記延伸竿は、本体部と、前記本体部の穂先側端部外周面に軸方向において径の変化しない部分であり前記嵌合雌部に嵌着可能な嵌合雄部と、前記嵌合雄部の竿元側に隣接して形成され竿元側ほど小径化するテーパ部とを有している、釣竿。
【請求項２】
筒状体である複数の竿体を順次連結してなる釣竿であって、
第１竿体と、前記第１竿体の穂先側に前記第１竿体内に出入自在に連結された第２竿体とを備え、前記第２竿体は前記第１竿体内に収納された収納状態，前記第１竿体の穂先側に引き出された延伸状態の何れにおいても前記第１竿体に固定可能であり、
前記第１竿体は、全体として先細りテーパの施された筒状体である本体部と、前記本体部の穂先側端部に他の部分に比較して急な先細りテーパが施された嵌合雌部とを有し、
前記第２竿体は、全体として先細りテーパの施された筒状体である本体部と、前記本体部の竿元側端部に脱着自在に装着される底栓とを有し、
前記第２竿体の本体部は、竿元側端部に軸方向に延びる複数の割りが周方向に間隔を隔てて形成されており、且つ、前記割りの穂先側に隣接する内周面には雌ねじ部が形成されており、
前記底栓は、穂先側外周面に形成された前記雌ねじ部に螺着自在な雄ねじ部分と、竿元側外周面に竿元側ほど大径化するテーパが施されたテーパ部分とを有している、釣竿。
【請求項３】
筒状体である複数の竿体を順次連結してなる釣竿であって、
第１竿体と、前記第１竿体の穂先側に前記第１竿体内に出入自在に連結された第２竿体とを備え、前記第２竿体は前記第１竿体内に収納された収納状態，前記第１竿体の穂先側に引き出された延伸状態の何れにおいても前記第１竿体に固定可能であり、
前記第１竿体は、全体として先細りテーパの施された筒状体である本体部と、前記本体部の穂先側端部に他の部分に比較して急な先細りテーパが施された嵌合雌部とを有し、
前記第２竿体は、全体として先細りテーパの施された筒状体である本体部と、前記本体部の竿元側端部に脱着自在に装着される底栓とを有し、
前記第２竿体の本体部は、竿元側端部外周面に軸方向に一定の範囲で一段外径が小径化した小径部分が形成されており、且つ、竿元側端部内周面に雌ねじ部が形成されており、前記小径部分に装着される外周面が竿元側ほど大径化するテーパ面となっているコーンを有し、
前記底栓は、前記雌ねじ部に螺着自在な雄ねじ部分と、前記雄ねじ部の竿元側に位置し前記コーンを係止する頭部とを有している、釣竿。
【発明の詳細な説明】
【０００１】
【発明の属する技術分野】
本発明は、魚釣りに用いる釣竿に関する。特に、複数の竿体を振出形式に連結してなる釣竿に関する。
【０００２】
【従来の技術】
一般に、釣竿は複数の竿体を連結して一本の釣竿となっている。そして、このような釣竿の中には、振出形式と呼ばれる方式で竿体が連結されているものがある。振出形式の釣竿では、竿元側に位置する大径竿体の穂先側に小径竿体が連結される。小径竿体は大径竿体内に出し入れ自在に収納される。そして、小径竿体が穂先側に抜け落ちず、また、小径竿体を大径竿体の穂先側に引き出した際に両竿体を連結固定可能とするために、小径竿体の竿元側端部の外周面に嵌合雄部を、大径竿体の穂先側端部内周面に嵌合雌部を形成する（例えば、特許文献１参照）。
【０００３】
また、振出形式の釣竿の中でも、その用途にあわせて様々なタイプの釣竿が多様な機能を備えて提供されている。例えば、鮎釣り用の鮎竿や渓流竿などの延べ竿に於いては、仕掛けに係った魚を取込易くするために、釣竿の全長を釣り操作時に素早く変更できるような機能が付与されている。例えば、ある種の従来の鮎竿等は、元竿の竿元側端部に別途延伸竿が連結されている。この延伸竿は元竿内に収納した状態（収納状態）と、元竿内から手元側に引き出した状態（延伸状態）との何れにあっても元竿に連結固定可能である。そして、釣り操作の最中に状況に応じて釣人は延伸竿を出し入れして釣竿全体の長さを調整して釣りを行う（例えば、特許文献２等参照）。具体的には、従来のこのように釣竿の長さを調整可能な釣竿にあっては、収納状態に於いて、元竿の竿元側端部の内周面と延伸竿の竿元側の外周面とで相互に嵌着する構造になっている。延伸状態において、元竿の竿元側端部の内周面と延伸竿の穂先側端部の外周面とで相互に嵌着する構造になっている。
【０００４】
【特許文献１】
特開２００１−３１４１４２号公報
【０００５】
【特許文献２】
実用新案登録第３０２２４１１号公報
【０００６】
【発明が解決しようとする課題】
振出形式の釣竿においては、大径竿体と小径竿体とに嵌合雄部と嵌合雌部とを形成する場合には、それぞれの竿体を部分的に厚肉化し、素材の内径若しくは外径を調整し、嵌合雄部若しくは嵌合雌部を形成するのが一般的である。しかし、嵌合雄部と嵌合雌部とには、充分に嵌合するように精密な径合わせが必要となる。素材自体に対してこのような精密な径合わせを施すことは煩雑且つ高度な技術が必要とされる。このため、このような嵌合雄部と嵌合雌部との製造が釣竿のコスト上昇の一因となってきた。そこで、より簡易な構造の合わせ部分の提供が求められている。そして、このような嵌合雄部と嵌合雌部とに関する問題は、上述の釣竿の全長を釣り操作時に素早く変更できるような機能が付与されている釣竿においても同様である。
【０００７】
本発明の課題は、竿体同士の嵌合部分の構造が比較的簡易であり、軽量化・経済化を図り得る釣竿を提供することにある。
【０００８】
【課題を解決するための手段】
本発明にかかる釣竿は、筒状体である複数の竿体を順次連結してなる釣竿であって、元竿と、元竿の竿元側に元竿内に出入自在に連結された延伸竿とを備えている。延伸竿は元竿内に収納された収納状態，元竿の竿元側に引き出された延伸状態の何れにおいても元竿に固定可能である。
【０００９】
この元竿は、全体として先細りテーパの施された筒状体である本体部と、本体部の竿元側端部に脱着自在に装着されるナット部材とを有している。この本体部は、穂先側の内周面に軸方向の一定の範囲において径の変化しない部分である嵌合雌部を有し、また、竿元側端部には軸方向に延びる複数の割りが周方向に間隔を隔てて形成され、且つ、割りの穂先側に隣接する外周面には雄ねじ部が形成されている。一方、ナット部材は略筒状部材であって、穂先側の内周面が雄ねじ部に螺着自在な雌ねじ部分であり、竿元側に内周面が竿元側ほど小径化するテーパ面となっているテーパ部分を有している。
【００１０】
延伸竿は、本体部と、本体部の穂先側端部外周面に軸方向において径の変化しない部分であり嵌合雌部に嵌着可能な嵌合雄部と、嵌合雄部の竿元側に隣接して形成され竿元側ほど小径化するテーパ部とを有している。
この釣竿の元竿にあっては、ナット部材を本体部から取り外すと、本体部の素材の弾性によって、竿元側端部の割りが略軸長方向に延びる。この状態では、延伸竿を元竿の竿元側からその内部に挿入して取り付けることも、元竿から延伸竿を取り外すことも可能である。
【００１１】
一方、延伸竿を元竿内に組み込んだ状態で、ナット部材を本体部に装着し、ナット部材の雌ねじ部分を本体部の雄ねじ部に螺着させると、ナット部材のテーパ部分により、本体部の割りが形成されている竿元側端部が竿元側ほど小径化するような傾斜姿勢をとる。この傾斜姿勢をとった本体部の竿元側端部が、延伸竿のテーパ部に当接乃至嵌着し、延伸竿が元竿の竿元側に抜け出るのを抑える。また、この傾斜姿勢をとった本体部の竿元側端部が、延伸竿を元竿の竿元側に引き出した延伸状態において、延伸竿と元竿とを連結固定することになる。
【００１２】
なお、延伸竿を元竿内に収納した収納状態においては、延伸竿の穂先側の嵌合雄部が元竿の嵌合雌部に嵌着し、延伸竿と元竿とが連結固定されることになる。
また、本発明の別の釣竿は、筒状体である複数の竿体を順次連結してなる釣竿であって、第１竿体と、第１竿体の穂先側に前記第１竿体内に出入自在に連結された第２竿体とを備えている。この第２竿体は第１竿体内に収納された収納状態，第１竿体の穂先側に引き出された延伸状態の何れにおいても前記第１竿体に固定可能である。
【００１３】
第１竿体は、全体として先細りテーパの施された筒状体である本体部と、本体部の穂先側端部に他の部分に比較して急な先細りテーパが施された嵌合雌部とを有している。
第２竿体は、全体として先細りテーパの施された筒状体である本体部と、本体部の竿元側端部に脱着自在に装着される底栓とを有している。この第２竿体の本体部は、竿元側端部に軸方向に延びる複数の割りが周方向に間隔を隔てて形成され、且つ、割りの穂先側に隣接する内周面には雌ねじ部が形成されている。一方、底栓は、穂先側外周面に雌ねじ部に螺着自在な雄ねじ部分と、竿元側外周面に竿元側ほど大径化するテーパが施されたテーパ部分とを有している。
【００１４】
この釣竿の第２竿体にあっては、底栓を本体部から取り外すと、本体部の素材の弾性によって、竿元側端部の割りが略軸長方向に延びる。一方、底栓を本体部に装着し、底栓の雄ねじ部分を元上竿の雌ねじ部に螺着させると、底栓のテーパ部分により、第２竿体の本体部の割りが形成されている竿元側端部が竿元側ほど大径化するような傾斜姿勢をとる。この傾斜姿勢をとった第２竿体の本体部の竿元側端部が、第１竿体の穂先側端部の嵌合雌部に当接乃至嵌着し、第２竿体が第１竿体の穂先側に抜け出るのを抑える。また、この傾斜姿勢をとった第２竿体の本体部の竿元側端部が、第２竿体を第１竿体の穂先側に引き出した延伸状態において、第２竿体と第１竿体とを連結固定することになる。このような底栓を利用して第２竿体の竿元側端部に傾斜姿勢をとらせることで、第２竿体の素材自体の径の加工が簡素化され、構造の簡易化及び低コスト化が可能になる。また、第２竿体の竿元側端部の割りが形成された部分を第１竿体に嵌着させるので、第２竿体と第１竿体との不当な固着も抑えられる。
【００１５】
さらに、本発明の別の釣竿は、筒状体である複数の竿体を順次連結してなる釣竿であって、第１竿体と、第１竿体の穂先側に第１竿体内に出入自在に連結された第２竿体とを備えている。この第２竿体は第１竿体内に収納された収納状態，第１竿体の穂先側に引き出された延伸状態の何れにおいても第１竿体に固定可能である。
【００１６】
第１竿体は、全体として先細りテーパの施された筒状体である本体部と、本体部の穂先側端部に他の部分に比較して急な先細りテーパが施された嵌合雌部とを有している。
一方の第２竿体は、全体として先細りテーパの施された筒状体である本体部と、本体部の竿元側端部に脱着自在に装着される底栓とを有している。この第２竿体の本体部は、竿元側端部外周面より軸方向に一定の範囲で一段外径が小径化した小径部分が形成され、且つ、竿元側端部内周面に雌ねじ部が形成され、小径部分に装着される外周面が竿元側ほど大径化するテーパ面となっているコーンを有する。底栓は、雌ねじ部に螺着自在な雄ねじ部分と、雄ねじ部の竿元側に位置しコーンを係止する頭部とを有している。
【００１７】
この釣竿にあっては、第２竿体を第１竿体の穂先側に引き出した延伸状態において、本体部と異なる別の脱着自在なコーンが、第１竿体の嵌合雌部に当接乃至嵌着する。コーンは底栓によって第２竿体の小径部分に固定されており、底栓を第２竿体の本体部から取り外すことで、コーンを第２竿体の本体部から取り外し得る。竿体自体とことなるコーンによって竿体の嵌着を演出することで、コーンを竿体素材とは別途成形加工でき、構造の簡易化及び低コスト化が可能になる。また、長期の使用によってコーンが摩耗等して嵌合力が低下しても、コーンを交換することで、第２竿体と第１竿体との嵌合力を再生し得る。
【００１８】
【発明の実施の形態】
［第１実施形態］
以下、本発明の第１実施形態について図面を参照しつつ説明する。
本発明の第１実施形態を採用した釣竿は、鮎釣り等に用いられる釣竿であり、図１に示すように、元竿１と、元竿１の竿元側から出し入れ自在に連結される延伸竿２と、元竿１の穂先側から出し入れ自在に連結される元上竿３とを有している。また、元上竿３の穂先側にもさらに複数の竿体（中竿，穂先竿等）が連結される（図示せず）。これらの各竿体は炭素繊維等の強化繊維に合成樹脂を含浸させたプリプレグ素材を焼成して形成されている。
【００１９】
元竿１より穂先側の各竿体はいわゆる振出形式で連結されており、穂先側の竿体から順次竿元側に位置する竿体内に出し入れ自在である。それぞれ穂先側に位置する竿体の竿元側端部外周面を竿元側に隣接する竿体の穂先側内周面に嵌着させて相互に固定可能である。最も穂先側に位置する穂先竿の穂先側端部には釣糸係止具が配置されている。
【００２０】
（元竿１について）
元竿１は全体として穂先側ほど小径化するようなテーパが施された筒状体である。穂先側端部にあってはいわゆる振出形式で元上竿３と元竿１とを連結するべく、振出形式用の嵌合部分が形成される（図示せず）。また、竿元側端部にはナット部材５が装着されている。
【００２１】
元竿１の軸方向の中央付近乃至中央付近より穂先側の内周面においては、図４に示すような、嵌合雌部１ａが形成されている。この嵌合雌部１ａは、その内径が軸方向において一定の範囲で変化しない部分である。後述の延伸竿２が収納状態において嵌着する部分である。
また、元竿１の竿元側端部は、図２，図３及び図５に示すように、外周面が他の部分に比較して一段小径化しており、ここにねじ溝が形成されて雄ねじ部１ｂとなっている。さらに、雄ねじ部１ｂの竿元側の部分には、ねじ溝が形成されていない部分１ｃがあり、この部分１ｃには、軸方向に延びる複数の割りが周方向に間隔を隔てて竿元側端部から形成されている。例えば、この複数の割りは、図５に示すように、３つの割りが周方向に等間隔に変位して形成されている。
【００２２】
ナット部材５は、上述の雄ねじ部１ｂに脱着自在に螺着している略筒状部材である。このナット部材５は穂先側の内周面が雄ねじ部１ｂに螺着自在な雌ねじ部分５ａとなっている。また、ナット部材５は竿元側に内周面が竿元側ほど小径化するテーパ面となっているテーパ部分５ｂを有している。このテーパ部分５ｂのテーパは、後述する延伸竿２に合わせて調整されている。このようなナット部材５を元竿１に装着することで、割りの入っている部分１ｃがテーパ部分５ｂのテーパに合わせて竿元側ほど小径化するようなテーパを形成することになる（図３参照）。なお、ナット部材５の外周面の形状は任意に設定可能であるが、外周面も竿元側ほど小径化するようなテーパ面としてもよい。
【００２３】
（延伸竿２について）
図１に示すように、延伸竿２は、元竿１の竿元側からその内部に挿入される挿入部６と、挿入部６の竿元側に連結される太径のパイプ状部材であるグリップ部７とからなる。延伸竿２は元竿１の竿元側に向かって出し入れ自在に連結されている。
【００２４】
挿入部６は元竿１内に挿入可能な外径の筒状体である。挿入部６は穂先側ほど小径化するような部材とする。元上竿３を元竿１内に穂先側から収納した際に、元上竿３が延伸竿２内に収納可能なようになっている。なお、挿入部６の穂先側端部には、元上竿３がその内部に円滑に案内されるようなゴムカバーを装着してもよい。
【００２５】
この挿入部６の穂先側端部は、図２及び図４に示すように、軸方向の一定範囲で外径が他の部分より大径化されており、ここが嵌合雄部６ａとなっている。この嵌合雄部６ａの外径は、上述の元竿１の嵌合雌部１ａに合わせて調整されている。また、嵌合雄部６ａの竿元側は竿元側ほど小径化するようなテーパ面６ｂとなっている。このテーパ面６ｂは、元竿１の割りの入っている部分１ｃのテーパに合わせて調整される。
【００２６】
グリップ部７は、挿入部６より大径且つ元竿１の外周面に合致するような径のパイプ状部材である。元竿１や挿入部６と同様に繊維強化樹脂等から構成してもよいが、別途金属素材などから構成してもよい。挿入部６の竿元側端部に挿入部６が穂先側から挿入された状態で螺着等の周知手法によってグリップ部７は脱着自在に連結されている。グリップ部７は挿入部６が完全に挿入された状態でも、グリップ部７の穂先側端部に挿入部６が部分的に挿入された状態でもよい。なお、グリップ部７は脱着不能に連結されていてもよい。
【００２７】
（元竿１と延伸竿２との関係について）
この釣竿の元竿１にあっては、ナット部材５を本体部から取り外すと、元竿１の素材の弾性によって、竿元側端部の割りの入っている部分１ｃが略軸長方向に延びる（図３参照）。この状態では、延伸竿２を元竿１の竿元側からその内部に挿入して取り付けることも、逆に、元竿１から延伸竿２を取り外すことも可能である。
【００２８】
一方、延伸竿２を元竿１内に組み込んだ状態で、ナット部材５を元竿１の雄ねじ部１ｂに螺着させると、ナット部材５のテーパ部分５ｂにより、割りが形成されている部分１ｃが竿元側ほど小径化するような傾斜姿勢をとる（図２参照）。そして、延伸竿２を元竿１の竿元側に引き出した延伸状態においては、この傾斜姿勢をとっている割りが形成されている部分１ｃが、延伸竿２の挿入部６のテーパ部６ｂに当接乃至嵌着し、延伸竿２が元竿１の竿元側に抜け出るのを抑える。また、延伸竿２と元竿１とを連結固定することになる。
【００２９】
他方、元竿１の穂先側に向かって延伸竿２を元竿１内に収納した収納状態においては、延伸竿２の挿入部６の穂先側の嵌合雄部６ａが元竿１の嵌合雌部１ａに嵌着し（図４参照）、延伸竿と元竿とが連結固定されることになる。
なお、このような収納状態にあって、元竿１と延伸竿２との連結固定力を向上させるために、ナット部材５の竿元側端部内周面と延伸竿２の挿入部６の外周面とが係止し得るように、凹凸をそれぞれに形成してもよい。また、両者に多条ねじなどを形成しても良い。
［第２実施形態］
本発明の第２実施形態を採用した釣竿について説明する。
【００３０】
この釣竿も第１実施形態と同様に、元竿１の穂先側に振出形式に元上竿３が連結されている（図１参照）。
（元竿１について）
図６に示すように、元竿１は、その穂先側端部に他の部分のテーパに比較して急テーパで穂先側ほど小径化する部分が形成されている。この部分の内周面が元上竿３のための嵌合雌部１ｄである。このような急テーパ部分は、予め、穂先側端部に所定の急テーパを施した芯材を用いて、その芯材に炭素繊維強化樹脂を巻回し焼成して元竿１を製造することなどによって、形成可能である。
【００３１】
（元上竿３について）
元上竿３は、元竿１の穂先側に出し入れ自在に（いわゆる振出形式で）連結される全体として先細りテーパの施された筒状体である。その竿元側端部には底栓２０が脱着自在に装着されている。
元上竿３の竿元側端部には、軸方向に延びる複数の割りが周方向に間隔を隔てて竿元側端部から形成されている。この割りは、上記第１実施形態の元竿１と同様に、周方向に等間隔で３〜５程度形成する。さらに、このような割りが形成されているその穂先側に隣接する内周面には、ねじ溝が形成されており、ここが雌ねじ部３ａとなっている。
【００３２】
底栓２０は、元上竿３の竿元側端部を閉塞する栓部材である。図６に示すように、穂先側外周面に形成される雌ねじ部３ａに螺着自在な雄ねじ部分２０ａと、竿元側のテーパ部分２０ｂとからなる。テーパ部分２０ｂは、竿元側外周面が竿元側ほど大径化するようにテーパが施されている部分である。このテーパ部分２０ｂのテーパは上述の元竿１の穂先側端部のテーパに合わせて調整されている。なお、必要に応じて、尻栓２０にはワッシャーなどが装着される。
【００３３】
（元竿１と元上竿３との関係について）
この釣竿の元上竿３にあっては、底栓２０を取り外すと、元上竿３の素材の弾性によって、竿元側端部の割りが形成されている部分が略軸長方向に延びる。一方、底栓２０を元上竿３に装着し、底栓２０の雄ねじ部分２０ａを元上竿３の雌ねじ部３ａに螺着させると、底栓２０のテーパ部分２０ｂにより、元上竿２の割りが形成されている竿元側端部が竿元側ほど大径化するような傾斜姿勢をとる（図６参照）。この傾斜姿勢をとった元上竿３の竿元側端部は、元竿１の穂先側端部の嵌合雌部１ｄに当接乃至嵌着し、元上竿３が元竿１の穂先側に抜け出るのを抑える。また、元上竿３を元竿１の穂先側に引き出した際に、元上竿３と元竿１とを連結固定することになる。このような底栓２０を利用して元上竿３の竿元側端部に、嵌合部分を形成することで、元上竿３の素材自体の径の加工が簡素化され、構造の簡易化及び低コスト化が可能になる。さらに、元上竿３の竿元側端部の割りが形成された部分が元竿１の嵌合雌部１ｄに嵌着させるので、両竿体の不当な固着も生じにくくなる。
［第３実施形態］
さらに、第３実施形態として、第２実施形態の変形例を図７に示す。
【００３４】
この釣竿でも、元竿１の構造は上記第２実施形態と同様である。一方の元上竿１３にあっては、竿元側端部外周に、コーン１５と底栓３０が脱着自在に装着されている。
元上竿１３は、竿元側端部内周面にねじ溝が形成されている。また、竿元側端部の外周面の軸方向に一定の範囲で一段外径が小径化した小径部分が形成されている。この小径部分にコーン１５が装着されている。コーン１５は略円筒型の部材であり、例えば、ゴム性の合成樹脂等から形成されている。コーン１５は竿元側ほど外周面が大径化するテーパ面となっている。このテーパ面は元竿１の嵌合雌部１ｄのテーパに合わせて調整されている。
【００３５】
底栓３０は、元上竿１３の竿元側端部を閉塞する栓部材であり、元上竿１３に螺着自在な雄ねじ部分と、雄ねじ部の竿元側に位置しコーン１３を係止する頭部とを有している。頭部の外径は、コーン１５の竿元側端部の外径を超えない。
この釣竿にあっては、元上竿１３を元竿１の穂先側に引き出した延伸状態において、コーン１５が、元竿１の嵌合雌部１ｄに当接乃至嵌着する。コーン１５は底栓３０によって元上竿１３の小径部分に固定されており、底栓３０を元上竿１３から取り外すことで、コーン１３を元上竿１３から取り外し得る。このような竿体自体とことなるコーン１３によって元上竿１３の元竿１に対する嵌着を演出することで、コーン１３を竿体素材とは別途成形加工でき、構造の簡易化及び低コスト化が可能になる。また、長期の使用によってコーン１３が摩耗等して嵌合力が低下しても、コーン１３を交換することで、元竿１と元上竿１３との嵌合力を再生できる。
【００３６】
【発明の効果】
本発明によれば、竿体同士の嵌合部分の構造を簡易化でき、軽量化・経済化を図ることができる。
【図面の簡単な説明】
【図１】本発明の第１実施形態を採用した釣竿を示した図。
【図２】元竿１の竿元側端部を示した図。
【図３】ナット部材５を取り外した際の元竿１の竿元側端部を示した図。
【図４】元竿１の軸方向中央付近の断面図。
【図５】元竿１の竿元側端部を示した参考図。
【図６】本発明の第２実施形態を採用した釣竿の元竿１と元上竿３とを示した図。
【図７】本発明の第３実施形態を採用した釣竿の元竿１と元上竿１３とを示した図。
【符号の説明】
１  元竿
２  延伸竿
３，１３  元上竿
１ａ  嵌合雌部
１ｂ  雄ねじ部
５  ナット部材
６  挿入部
６ａ  嵌合雄部
２０，３０  底栓
【図１】
2004344142.tif 000003
【図２】
2004344142.tif 000004
【図３】
2004344142.tif 000005
【図４】
2004344142.tif 000006
【図５】
2004344142.tif 000007
【図６】
2004344142.tif 000008
【図７】
2004344142.tif 000009